(57)【要約】【課題】ハンドピースの針部と生体組織との間に放電が生じるのを抑制し、熱的凝固の促進が阻害されるのを抑制する電気手術装置を提供すること。【解決手段】生体組織に対して高周波電流を印加し、生体組織の電気手術を行う電気手術装置１であって、生体組織に高周波電流を印加する通電部８と、通電部８の先端に設けられる先端が尖った形状の尖鋭部１０と、通電部８の基端に設けられて高周波電流経路と生体組織とを絶縁する絶縁部９とを備える。尖鋭部１０を絶縁体７で構成して通電部８から電気的に絶縁し、針部３と生体組織との間に電流が流れるのを阻止する放電抑制部１１として機能させる。【選択図】図１
2005205002.tif 000002
【特許請求の範囲】
【請求項１】
生体組織に対して高周波電流を印加し、前記生体組織の電気手術を行う電気手術装置であって、
前記生体組織に高周波電流を印加する通電部と、
該通電部の先端に設けられる先端が尖った形状の尖鋭部と、
該通電部の基端に設けられて高周波電流経路と前記生体組織とを絶縁する絶縁部とを備え、
前記尖鋭部の少なくとも一部に前記尖鋭部を前記通電部から電気的に絶縁する放電抑制部を設けたことを特徴とする電気手術装置。
【請求項２】
前記尖鋭部の少なくとも一部を絶縁体で形成し、該絶縁体で形成した部分により前記放電抑制部を有する請求項１に記載の電気手術装置。
【請求項３】
前記尖鋭部の全部および前記通電部の一部を絶縁体で形成し、該絶縁体で形成した部分により前記放電抑制部を有する請求項１に記載の電気手術装置。
【請求項４】
前記尖鋭部の少なくとも一部の表面を絶縁体で形成し、該絶縁体で形成した部分により前記放電抑制部を有する請求項１に記載の電気手術装置。
【請求項５】
前記尖鋭部の全体の表面および前記通電部の一部の表面を絶縁体で形成し、該絶縁体で形成した部分により前記放電抑制部を有する請求項１に記載の電気手術装置。
【請求項６】
前記尖鋭部と前記通電部との境界部に絶縁体からなる絶縁層を設け、該絶縁層と前記尖鋭部とにより前記放電抑制部を有する請求項１に記載の電気手術装置。
【請求項７】
前記尖鋭部の少なくとも一部を前記通電部から電気的に絶縁される部品の少なくとも一部で構成し、該部品により構成した前記尖鋭部の部分により前記放電抑制部を有する請求項１に記載の電気手術装置。
【請求項８】
前記尖鋭部の全体の表面を絶縁体で形成し、前記通電部の表面に、前記尖鋭部と前記絶縁部との間を相互に連結する絶縁体からなる絶縁帯を設け、該絶縁帯と前記尖鋭部とによって前記放電抑制部を有する請求項１に記載の電気手術装置。
【請求項９】
前記通電部および前記絶縁部の内部に湿潤液を流通させる流路を設けるとともに、前記通電部の表面に前記流路に連通する少なくとも一つの吐出口を設け、前記流路に供給される湿潤液を前記吐出口から吐出可能とした請求項１ないし８のいずれかに記載の電気手術装置。
【請求項１０】
前記通電部および前記絶縁部の内部に冷却液を流通させる流路を設けた請求項１ないし９のいずれかに記載の電気手術装置。
【請求項１１】
生体組織に対して高周波電流を印加し、前記生体組織の電気手術を行う電気手術装置であって、前記生体組織に高周波電流を印加する通電部と、内周側に前記通電部が可動自在に挿着されるとともに、内外周面が絶縁体で被覆される筒状の絶縁部と、前記通電部の先端部に設けられるとともに、前記絶縁部の先端から出没可能な尖鋭部とを備え、前記尖鋭部の少なくとも一部を絶縁体で形成し、該絶縁体で形成した前記尖鋭部の部分により前記通電部から電気的に絶縁する放電抑制部を有することを特徴とする電気手術装置。
【発明の詳細な説明】
【技術分野】
【０００１】
本発明は、経皮的な術式に使用される電気手術装置に関し、特に、放電抑制機能を備えた電気手術装置に関するものである。
【背景技術】
【０００２】
経皮的な術式に使用される電気手術装置には種々のタイプのものがあり、例えば、図１７に示すような電気手術装置が一般に知られている。
【０００３】
すなわち、この電気手術装置４１は、生体組織に刺入される先端が尖った細い棒状（針状）の針部４３と、針部４３の一端部に設けられる針部４３よりも太い棒状の把持部４９とからなるハンドピース４２と、ハンドピース４２に高周波電圧（電流）を印加する高周波出力装置（図示せず）とを備えている。
【０００４】
針部４３は、導電体からなる細い棒状（針状）の電極４４と、電極４４の表面の一部を被覆する絶縁体４５とからなるものであって、先端側に電極４４の表面が露出した通電部４６が設けられ、基端側に電極４４の表面が絶縁体４５によって被覆された絶縁部４７が設けられ、通電部４６を介して生体組織に高周波電圧（電流）が供給され、絶縁部４７により高周波電圧（電流）の供給経路と生体組織との間が絶縁される。通電部４６の先端部は、針部４３の生体組織への刺入を容易にするために、先端が尖った尖鋭部４８に形成されている。
【０００５】
針部４３の電極４４と高周波出力装置との間は、電線（図示せず）を介して電気的に接続され、高周波出力装置から電線および電極４４を介して通電部４６に高周波電圧（電流）が供給される。
【０００６】
そして、上記のような構成の電気手術装置４１の針部４３を生体組織に刺入し、高周波出力装置から電線および電極４４を介して通電部４６に高周波電圧（電流）を供給し、通電部４６と通電部４６に生体組織を介して対向配置される対極板（図示せず）との間に高周波電圧（電流）を印加することにより、生体組織の患部に対して熱的凝固等の治療的処置を行うことができるものである。
【０００７】
ところで、上記のような構成の電気手術装置４１によって生体組織の患部に対して熱的凝固等の治療的処置を行う場合に、対象箇所を熱的凝固させるために、比較的長時間高周波電圧（電流）を印加する必要があり、この際、通電部４６の周辺の温度が上昇して生体組織が乾燥することにより、通電部４６と生体組織との間に放電が発生することがあり、この放電により熱的凝固の促進が阻害され、充分な治療効果が得られないという場合がある。
【０００８】
一方、上記のような問題を解決するために、湿潤液を吐出させる機能を備えた電気手術装置や冷却機能を備えた電気手術装置が提供されている。
【０００９】
例えば、湿潤液を吐出させる機能を備えた電気手術装置の一例として、図１８に示すように、ハンドピース４２の針部４３の内部に湿潤液の流路５０を設け、この流路５０を把持部４９の内部およびチューブ（図示せず）を介して湿潤液のポンプ（図示せず）に接続するように構成したものが知られている。
【００１０】
この場合、針部４３の通電部４６には、流路５０に連通する吐出口５１が設けられ、生体組織のインピーダンスの上昇、温度上昇により、ポンプからチューブ、流路５０および吐出口５１を介して湿潤液が吐出され、生体組織の乾燥による放電の発生を抑制している。通電部４６の先端部には、経皮的な刺入を容易にするための尖鋭部４８が設けられ、この尖鋭部４８は、通電部４６の一部として機能している。針部４３には、高周波出力装置（図示せず）から電線を介して送られる高周波電圧（電流）を絶縁する絶縁部４７が設けられ、この絶縁部４７により生体組織の意図しない熱的凝固を防止している。
【００１１】
しかしながら、上記のような構成の湿潤液を吐出させる機能を備えた電気手術装置４１にあっては、針部４３の尖鋭部４８が通電部４６の一部または全部として機能し、尖鋭部４８における電流密度が高く放電が起こりやすい構造であるため、充分な放電抑制効果が得られない。
【００１２】
冷却機能を備えた電気手術装置の一例として、図１９に示すように、ハンドピース４２の針部４３および把持部４９の内部に、還流パイプ５２と針部還流経路５３とからなる冷却液還流構造５４を設け、この冷却液還流構造５４をチューブ（図示せず）を介して装置本体のポンプ部（図示せず）に接続したものが知られている。
【００１３】
この場合、生体組織のインピーダンス上昇により、冷却液を冷却液還流構造５４を介して還流し、生体組織の乾燥を防止し、放電の発生を抑制している。また、針部４３の先端部には、経皮的な刺入を容易にするための尖鋭部５５が設けられ、この尖鋭部５５は、通電部４６の一部として機能している。さらに、針部４３には、高周波出力装置（図示せず）から電線を介して送られる高周波電圧（電流）を絶縁する絶縁部４７が設けられ、生体組織の意図しない熱的凝固を防止している。
【００１４】
しかしながら、上記のような構成の冷却機能を備えた電気手術装置４１にあっては、尖鋭部５５における電流密度が高く放電が起こりやすく、冷却液のみでは、充分な放電抑制効果が得られない。
【００１５】
電気手術装置に類似する技術として、径内視鏡的処置具としての電気メスが提供されている。この電気メスは、電極部の先端と基端に耐熱性電気絶縁体を設けたものであって、生体組織の切開、切除を目的としている。先端の絶縁部は、接触する正常な組織への悪影響を防止し、基端絶縁部により後端に備えた絶縁体の劣化を防止している（例えば、特許文献１参照。）。
【００１６】
しかし、このような構成の電気メスにあっては、経皮的な術式を目的として、熱的凝固等の治療的処置を施す箇所には使用することができない。
【００１７】
【特許文献１】特開昭６３−１３００６１号公報
【発明の開示】
【発明が解決しようとする課題】
【００１８】
本発明の目的は、経皮的な術式を目的として有効に使用することができるとともに、生体組織の患部に対して熱的凝固等の治療的処置を行う場合に、対象箇所を熱的凝固させるために長時間高周波電圧（電流）を印加して温度上昇により生体組織が乾燥しても、生体組織との間に放電が発生して熱的凝固の促進が阻害されるようなことが少なく、充分な治療効果が得られる電気手術装置を提供することにある。
【課題を解決するための手段】
【００１９】
このような目的は、下記（１）〜（１１）の本発明により達成される。
（１）  生体組織に対して高周波電流を印加し、前記生体組織の電気手術を行う電気手術装置であって、
前記生体組織に高周波電流を印加する通電部と、
該通電部の先端に設けられる先端が尖った形状の尖鋭部と、
該通電部の基端に設けられて高周波電流経路と前記生体組織とを絶縁する絶縁部とを備え、
前記尖鋭部の少なくとも一部に前記尖鋭部を前記通電部から電気的に絶縁する放電抑制部を設けたことを特徴とする電気手術装置。
【００２０】
（２）  前記尖鋭部の少なくとも一部を絶縁体で形成し、該絶縁体で形成した部分により前記放電抑制部を有する上記（１）に記載の電気手術装置。
【００２１】
（３）  前記尖鋭部の全部および前記通電部の一部を絶縁体で形成し、該絶縁体で形成した部分により前記放電抑制部を有する上記（１）に記載の電気手術装置。
【００２２】
（４）  前記尖鋭部の少なくとも一部の表面を絶縁体で形成し、該絶縁体で形成した部分により前記放電抑制部を有する上記（１）に記載の電気手術装置。
【００２３】
（５）  前記尖鋭部の全体の表面および前記通電部の一部の表面を絶縁体で形成し、該絶縁体で形成した部分により前記放電抑制部を有する上記（１）に記載の電気手術装置。
【００２４】
（６）  前記尖鋭部と前記通電部との境界部に絶縁体からなる絶縁層を設け、該絶縁層と前記尖鋭部とにより前記放電抑制部を有する上記（１）に記載の電気手術装置。
【００２５】
（７）  前記尖鋭部の少なくとも一部を前記通電部から電気的に絶縁される部品の少なくとも一部で構成し、該部品により構成した前記尖鋭部の部分により前記放電抑制部を有する上記（１）に記載の電気手術装置。
【００２６】
（８）  前記尖鋭部の全体の表面を絶縁体で形成し、前記通電部の表面に、前記尖鋭部と前記絶縁部との間を相互に連結する絶縁体からなる絶縁帯を設け、該絶縁帯と前記尖鋭部とによって前記放電抑制部を有する上記（１）に記載の電気手術装置。
【００２７】
（９）  前記通電部および前記絶縁部の内部に湿潤液を流通させる流路を設けるとともに、前記通電部の表面に前記流路に連通する少なくとも一つの吐出口を設け、前記流路に供給される湿潤液を前記吐出口から吐出可能とした上記（１）ないし（８）のいずれかに記載の電気手術装置。
【００２８】
（１０）  前記通電部および前記絶縁部の内部に冷却液を流通させる流路を設けた上記（１）ないし（９）のいずれかに記載の電気手術装置。
【００２９】
（１１）  生体組織に対して高周波電流を印加し、前記生体組織の電気手術を行う電気手術装置であって、前記生体組織に高周波電流を印加する通電部と、内周側に前記通電部が可動自在に挿着されるとともに、内外周面が絶縁体で被覆される筒状の絶縁部と、前記通電部の先端部に設けられるとともに、前記絶縁部の先端から出没可能な尖鋭部とを備え、前記尖鋭部の少なくとも一部を絶縁体で形成し、該絶縁体で形成した前記尖鋭部の部分により前記通電部から電気的に絶縁する放電抑制部を有することを特徴とする電気手術装置。
【発明の効果】
【００３０】
本発明の電気手術装置によれば、通電部を介して生体組織に高周波電流を印加する際に、絶縁体からなる放電抑制部により、通電部の先端側に位置する尖鋭部と生体組織との間を電気的に絶縁することができる。従って、生体組織の患部に対して熱的凝固等の治療的処置を行う場合に、対象箇所を熱的凝固させるために長時間高周波電圧（電流）を印加して、通電部の周辺の温度が上昇して生体組織が乾燥しても、生体組織との間に放電が発生するのを抑制することができ、また、この放電の発生によって熱的凝固の促進が阻害されるのを抑制することができ、よって、充分な治療効果が得られることになる。
【発明を実施するための最良の形態】
【００３１】
以下、図面を参照しつつ本発明の実施の形態について説明する。
＜第１実施形態＞
図１〜図３には、それぞれ、本発明による電気手術装置の第１の実施の形態が示されていて、図１は、ハンドピースの平面図、図２は、図１のＡ−Ａ線断面図、図３は、図１のＢ−Ｂ線断面図である。
【００３２】
すなわち、この電気手術装置１は、経皮的な術式に使用されるものであって、手術対象箇所の生体組織に刺入される先端が尖った細い棒状（針状）の針部３と、針部３の基端側に設けられる術者が把持する針部３よりも太い棒状の把持部１２とからなるハンドピース２と、ハンドピース２の針部３に高周波電圧（電流）を印加する高周波出力装置（図示せず）とを備えている。
【００３３】
針部３は、導電体（例えば、ステンレス等の金属）からなる細い棒状（針状）の電極４の表面の一部を絶縁体７で被覆して、先端側に電極４の表面が露出した通電部８を設け、基端側に電極４の表面が絶縁体７により被覆された絶縁部９を設けたものである。
【００３４】
電極４は、電線（図示せず）を介して高周波出力装置に電気的に接続され、これにより、高周波出力装置から電線および電極４を介して通電部８に至る高周波電圧（電流）の供給経路が形成される。
【００３５】
絶縁部９は、電極４と生体組織との間を絶縁することにより、絶縁部９に対応する針部３の部分において、高周波電圧（電流）の供給経路と生体組織との間を絶縁する機能を有している。
【００３６】
電極４（針部３）は、先端側に位置する通電部８となる小経部５と、基端側に位置する小経部５よりも大径の大径部６との２段に形成（構成）されている。この大径部６（絶縁部９）は、小経部５と大径部６との段差部（境界）から基端方向に延在する小経部５の外周面に絶縁体７を設けて、小経部５より径が大きくなるよう形成されている。
【００３７】
絶縁部９を構成する方法としては、例えば、セラミック系、ガラス系、高分子系等の絶縁体を電極４の表面にコーティングする方法、絶縁材料からなる筒状の加工品、成形品等を電極４に取り付ける方法等が挙げられる。
【００３８】
針部３の通電部８の先端には、先端が鋭く尖った円錐形状の尖鋭部１０が一体的に設けられ、この尖鋭部１０により電気手術の際に針部３を手術対象箇所の生体組織に刺入し易くしている。
【００３９】
尖鋭部１０は、全体（全部）が絶縁体で形成され、針部３の通電部８よりも先端側の部分において、針部３と生体組織との間に電流が流れるのを阻止する放電抑制部１１として機能している。
【００４０】
放電抑制部１１である尖鋭部１０は、例えば、セラミック系、ガラス系、高分子系等からなる円錐形状の加工品、成形品等を通電部８の先端に一体的に連結されたり、絶縁処理を施した円錐形状の加工品、成形品等を通電部８の先端に一体的に連結する等の方法により、通電部８の先端に一体的に設けられたりして構成されている。
【００４１】
なお、放電抑制部１１である尖鋭部１０は、尖鋭部１０の一部を絶縁体で形成して放電抑制部１１を構成しても良いし、尖鋭部１０の全体と尖鋭部１０に連続する通電部８の一部を絶縁体で形成して放電抑制部１１を構成しても良い。
【００４２】
そして、上記のように構成したこの実施の形態による電気手術装置１の針部３を手術対象箇所の生体組織に刺入し、高周波出力装置を作動させて、高周波出力装置から電線および電極４を介して針部３の通電部８に高周波電圧（電流）を供給し、通電部８と生体組織を介して対向配置される対極板（図示せず）との間に高周波電圧（電流）を印加することにより、生体組織の患部に対して熱的凝固等の治療的処置を施すことができる。
【００４３】
この場合、対象箇所を熱的凝固させるために、比較的長時間高周波電圧（電流）を印加し、通電部８の周辺の温度が上昇して生体組織が乾燥しても、針部３の先端部には絶縁体からなる放電抑制部１１が設けられているので、通電部８の先端側において、針部３と生体組織との間に電流が流れるのを抑制でき、針部３と生体組織との間に放電が生じるのを抑制することができる。従って、放電の発生によって熱的凝固の促進が阻害されるようなことは少なく、充分な治療効果が得られることになる。
【００４４】
＜第２実施形態＞
図４および図５には、それぞれ、本発明による電気手術装置の第２の実施の形態が示されていて、図４は、ハンドピースの平面図、図５は、図４のＣ−Ｃ線断面図である。
【００４５】
すなわち、この電気手術装置１は、針部３の通電部８の先端に円錐形状の芯部１３を一体的に設け、この芯部１３の表面に絶縁体を所定の厚みで一体的に設けて円錐形状の尖鋭部１０を形成し、この尖鋭部１０の絶縁体からなる部分を放電抑制部１１として機能させるように構成したものであって、その他の構成は前記第１の実施の形態と同様の構成を有しているので、前記第１の実施の形態と同様の部分には同一の番号を付してその詳細な説明を省略するものとする。
【００４６】
芯部１３の表面に絶縁体を一体的に設ける方法としては、例えば、芯部１３の表面にセラミック系、ガラス系、高分子系等のコーティングを行う方法、芯部１３の表面に酸化処理等の化学的または物理的な処理を施す方法等が挙げられる。
【００４７】
そして、この実施の形態に示す電気手術装置１にあっても、前記第１の実施の形態に示すものと同様に、針部３を手術対象箇所の生体組織に刺入し、高周波出力装置を作動させて、高周波出力装置から電線および電極４を介して針部３の通電部８に高周波電圧（電流）を供給し、通電部８と生体組織を介して対向配置される対極板との間に高周波電圧（電流）を印加することにより、生体組織の患部に対して熱的凝固等の治療的処置を施すことができる。
【００４８】
この場合、対象箇所を熱的凝固させるために、比較的長時間高周波電圧（電流）を印加し、通電部８の周辺の温度が上昇して生体組織が乾燥しても、針部３の先端部には絶縁体からなる放電抑制部１１が設けられているので、通電部８の先端側において、針部３と生体組織との間に電流が流れるのを抑制することができ、針部３と生体組織との間に放電が生じるのを抑制することができる。従って、放電の発生によって熱的凝固の促進が阻害されるのを抑制することができ、よって、充分な治療効果が得られることになる。
【００４９】
なお、この実施の形態においては、芯部１３の表面の全体に絶縁体を設けて放電抑制部１１を構成したが、芯部１３の表面の一部に絶縁体を設けて放電抑制部１１を構成してもよいし、芯部１３の表面の全体と芯部１３に連続する通電部８の一部の表面に絶縁体を設けて放電抑制部１１を構成してもよい。
【００５０】
＜第３実施形態＞
図６および図７には、それぞれ、本発明による電気手術装置の第３の実施の形態が示されていて、図６は、ハンドピースの平面図、図７は、図６のＤ−Ｄ線断面図である。
【００５１】
すなわち、この電気手術装置１は、針部３の通電部８の先端に金属材料からなる先端が尖った円錐形状または円錐台形状の尖鋭部１０を一体的に設け、この尖鋭部１０と通電部８との境界部に絶縁体からなる通電部８と同一外径の絶縁層１４を一体的に設け、絶縁層１４および尖鋭部１０により放電抑制部１１を構成したものであって、その他の構成は前記第１の実施の形態と同様の構成を有しているので、前記第１の実施の形態と同様の部分には同一の番号を付してその詳細な説明を省略するものとする。
【００５２】
絶縁層１４を設ける方法としては、例えば、第１の実施の形態と同様に、セラミック系、ガラス系、高分子系等からなる加工品、成形品等を尖鋭部１０と通電部８との境界部に一体的に設ける等の方法が挙げられる。
【００５３】
そして、この実施の形態に示す電気手術装置１にあっても、前記第１の実施の形態に示すものと同様に、針部３を手術対象箇所の生体組織に刺入し、高周波出力装置を作動させて、高周波出力装置から電線および電極４を介して針部３の通電部８に高周波電圧（電流）を供給し、通電部８と生体組織を介して対向配置される対極板との間に高周波電圧（電流）を印加することにより、生体組織の患部に対して熱的凝固等の治療的処置を施すことができる。
【００５４】
この場合、対象箇所を熱的凝固させるために、比較的長時間高周波電圧（電流）を印加し、通電部８の周辺の温度が上昇して生体組織が乾燥しても、針部３の先端部には放電抑制部１１が設けられているので、通電部８の先端側において、針部３と生体組織との間に電流が流れるのを抑制でき、針部３と生体組織との間に放電が生じるのを抑制ことができる。従って、放電の発生によって熱的凝固の促進が阻害されるのを抑制することができ、よって、充分な治療効果が得られることになる。
【００５５】
＜第４実施形態＞
図８および図９には、それぞれ、本発明による電気手術装置の第４の実施の形態が示されていて、図８は、ハンドピースの平面図、図９は、図８のＥ−Ｅ線断面図である。
【００５６】
すなわち、この電気手術装置１は、針部３に高周波電圧（電流）の供給経路と電気的に絶縁された状態で設けられる部品、例えば温度センサ１６の一部によって尖鋭部１０の先端部を構成し、この温度センサ１６で構成した尖鋭部１０の先端部を放電抑制部１１として機能させるように構成したものであって、その他の構成は前記第１の実施の形態と同様の構成を有しているので、前記第１の実施の形態と同様の部分には同一の番号を付してその詳細な説明を省略するものとする。
【００５７】
この場合、針部３の電極４の中心部に貫通孔１５を設け、この貫通孔１５を介して温度センサ１６のリード線１７を外部に引き出している。なお、尖鋭部１０のうち温度センサ１６で構成された以外の部分は、前記第１の実施の形態に示すものと同様に、通電部８と同一材質によって形成されている。
【００５８】
尖鋭部１０の先端部を絶縁体で形成して温度センサ１６の一部とするには、例えば、セラミック系、ガラス系、高分子系等からなる円錐形状の加工品、成形品等を尖鋭部１０の先端部に一体的に設ける、絶縁処理を施した円錐形状の加工品、成形品等を尖鋭部１０の先端部に一体的に設ける等の方法が挙げられる。
【００５９】
そして、この実施の形態に示す電気手術装置１にあっても、前記第１の実施の形態に示すものと同様に、針部３を手術対象箇所の生体組織に刺入し、高周波出力装置を作動させて、高周波出力装置から電線および電極４を介して針部３の通電部８に高周波電圧（電流）を供給し、通電部８と生体組織を介して対向配置される対極板との間に高周波電圧（電流）を印加することにより、生体組織の患部に対して熱的凝固等の治療的処置を施すことができる。
【００６０】
この場合、対象箇所を熱的凝固させるために、比較的長時間高周波電圧（電流）を印加し、通電部８の周辺の温度が上昇して生体組織が乾燥しても、針部３の先端部には放電抑制部１１が設けられているので、通電部８の先端側において、針部３と生体組織との間に電流が流れるのを抑制でき、針部３と生体組織との間に放電が生じるのを抑制ことができる。従って、放電の発生によって熱的凝固の促進が阻害されるのを抑制することができ、よって、充分な治療効果が得られることになる。
【００６１】
なお、この実施の形態においては、温度センサ１６の一部を絶縁体で形成して放電抑制部１１として機能させたが、温度センサ１６の全部を絶縁体で形成して放電抑制部１１として機能させてもよい。また、温度センサ１６に限らず、他の部品の一部または全部を放電抑制部１１として機能させてもよい。
【００６２】
＜第５実施形態＞
図１０および図１１には、それぞれ、本発明による電気手術装置の第５の実施の形態が示されていて、図１０は、ハンドピースの平面図、図１１は、図１０のＦ−Ｆ線断面図である。
【００６３】
すなわち、この電気手術装置１は、針部３の通電部８の先端に円錐形状の芯部１３を一体的に設けるとともに、通電部８の外周面の一部に軸方向に溝１８を周方向に所定の間隔ごとに複数本（本実施形態では、６本）設け、芯部１３の表面および電極４の基端側の表面および溝１８内に絶縁帯１９を所定の厚みで一体的に設け、それぞれ円錐形状の尖鋭部１０と絶縁部９との間を連結する絶縁帯１９を形成し、絶縁帯１９の一部と尖鋭部１０とによって放電制御部１１を構成したものである。その他の構成は前記第１の実施の形態と同様の構成を有しているので、前記第１の実施の形態と同様の部分には同一の番号を付してその詳細な説明を省略するものとする。
【００６４】
この場合、芯部１３の表面、絶縁部９、絶縁帯１９の表面に絶縁体を一体的に設ける方法としては、例えば、セラミック系、ガラス系、高分子系等のコーティングを施す方法、酸化処理等の化学的、物理的な処理を施す等の方法によって形成される。
【００６５】
そして、この実施の形態に示す電気手術装置１にあっても、前記第１の実施の形態に示すものと同様に、針部３を手術対象箇所の生体組織に刺入し、高周波出力装置を作動させて、高周波出力装置から電線および電極４を介して針部３の通電部８に高周波電圧（電流）を供給し、通電部８と生体組織を介して対向配置される対極板との間に高周波電圧（電流）を印加することにより、生体組織の患部に対して熱的凝固等の治療的処置を施すことができる。
【００６６】
この場合、対象箇所を熱的凝固させるために、比較的長時間高周波電圧（電流）を印加し、通電部８の周辺の温度が上昇して生体組織が乾燥しても、針部３の先端部には放電抑制部１１が設けられているので、通電部８の先端側において、針部３と生体組織との間に電流が流れるのを抑制でき、針部３と生体組織との間に放電が生じるのを抑制することができる。従って、放電の発生によって熱的凝固の促進が阻害されるのを抑制することができ、よって、充分な治療効果が得られることになる。
【００６７】
＜第６実施形態＞
図１２には、本発明による電気手術装置の第６の実施の形態が示されていて、図１２は、ハンドピースを示す断面図である。
【００６８】
すなわち、この電気手術装置１は、針部３の電極４に筒状のものを使用し、電極４の内側に湿潤液を流通させる流路２０を形成し、電極４の通電部８に流路２０内外を貫通する複数の吐出口２１を設け、湿潤液供給源（図示せず）から針部３の流路２０および吐出口２１を介して湿潤液を吐出可能に構成したものであって、その他の構成は前記第１の実施の形態と同様の構成を有しているので、前記第１の実施の形態と同様の部分には同一の番号を付してその詳細な説明を省略するものとする。
【００６９】
湿潤液は、加熱乾燥した生体組織に水分を補給する効果、冷却効果、導電性を高めて急激な加熱乾燥を抑制する効果を奏するものであって、例えば、生理食塩水、電解質補製剤等が挙げられる。
【００７０】
そして、上記のように構成したこの実施の形態による電気手術装置１の針部３を手術対象箇所の生体組織に刺入し、高周波出力装置を作動させて、高周波出力装置から電線および電極４を介して針部３の通電部８に高周波電圧（電流）を供給し、通電部８と生体組織を介して対向配置される対極板との間に高周波電圧（電流）を印加することにより、生体組織の患部に対して熱的凝固等の治療的処置を施すことができ、さらに、効果的に治療的処置を施すことができる。
【００７１】
この場合、対象箇所を熱的凝固させるために、比較的長時間高周波電圧（電流）を印加し、通電部８の周辺の温度が上昇して生体組織が乾燥しても、針部３の先端部には絶縁体からなる放電抑制部１１が設けられているので、通電部８の先端側において、針部３と生体組織との間に電流が流れるのを抑制することができ、針部３と生体組織との間に放電が生じるのを抑制することができる。従って、放電の発生によって熱的凝固の促進が阻害されるのを抑制することができ、よって、充分な治療効果が得られることになる。
【００７２】
さらに、通電部８の吐出口２１から湿潤液を供給することにより、加熱乾燥した生体組織に水分を補給する効果、冷却効果、導電性を高めて急激な加熱乾燥を抑制する効果が得られるので、更に、効果的に治療的処置を施すことができる。
【００７３】
＜第７実施形態＞
図１３〜図１５には、それぞれ、本発明による電気手術装置の第７の実施の形態が示されていて、図１３は、ハンドピースの平面図、図１４は、図１３のＧ部の拡大断面図、図１５は、図１３の部分拡大断面図である。
【００７４】
すなわち、この電気手術装置２２は、手術対象箇所の生体組織に刺入される針部２４と、針部２４の基端側に設けられる術者が把持する針部２４よりも太い棒状の把持部３５とからなるハンドピース２３と、ハンドピース２３の針部２４に高周波電圧（電流）を印加する高周波出力装置（図示せず）とを備えている。
【００７５】
針部２４は、導電体（例えば、ステンレス等の金属）からなる先端が尖った細い筒状の外針２５と、外針２５の内側に可動自在に設けられて、先端部が外針２５から外方に展開可能な複数本（本実施形態では、２本）の導電体からなる内針２９とを備えている。
【００７６】
外針２５は、金属からなる筒状の芯材２６の内外面を絶縁体２７で被覆して絶縁部２８を構成し、この絶縁部２８により生体組織と高周波電圧（電流）の供給経路とを絶縁するように構成したものであって、絶縁部２８を構成する方法としては、例えば、セラミック系、ガラス系、高分子系等の絶縁体を芯材２６の表面にコーティングする方法等が挙げられる。
【００７７】
内針２９は、電極３０として機能するものであって、先端部が所定の角度で屈曲されて、屈曲された部分の先端部に先端が尖った尖鋭部３１が設けられ、この尖鋭部３１により、電気手術の際に内針２９を手術対象箇所の生体組織に刺入し易くしている。内針２９の尖鋭部３１の根元部には、生体組織に高周波電圧（電流）を供給する通電部３２が設けられている。
【００７８】
内針２９は、電線（図示せず）を介して高周波出力装置に電気的に接続され、これにより、高周波出力装置から電線および内針２９（電極３０）を介して通電部３２に至る高周波電圧（電流）の供給経路が形成される。
【００７９】
内針２９の尖鋭部３１は、表面が絶縁体で被覆され、その部分に内針２９と生体組織との間に電流が流れるのを阻止する放電抑制部３３が形成される。
【００８０】
放電抑制部３３は、例えば、尖鋭部３１の表面にセラミック系、ガラス系、高分子系等のコーティングを施す、尖鋭部３１の表面に酸化処理等の化学的または物理的な処理を施す等の方法によって形成される。
【００８１】
そして、上記のように構成したこの実施の形態による電気手術装置２２の針部２４を手術対象箇所の生体組織に刺入し、高周波出力装置を作動させて、高周波出力装置から電線および電極３０を介して針部２４の内針２９の通電部３２に高周波電圧（電流）を供給し、通電部３２と生体組織を介して対向配置される対極板との間に高周波電圧（電流）を印加することにより、生体組織の患部に対して熱的凝固等の治療的処置を施すことができる。
【００８２】
この場合、対象箇所を熱的凝固させるために、比較的長時間高周波電圧（電流）を印加し、通電部３２の周辺の温度が上昇して生体組織が乾燥しても、針部２４の内針２９の先端部には絶縁体からなる放電抑制部３３が設けられているので、通電部３２の先端側において、内針２９と生体組織との間に電流が流れるのを抑制することができ、内針２９と生体組織との間に放電が生じるのを抑制することができる。従って、放電の発生によって熱的凝固の促進が阻害されるのを抑制することができ、よって、充分な治療効果が得られることになる。
【００８３】
＜第８実施形態＞
図１６には、本発明による電気手術装置の第８実施形態（ハンドピースの平面図）が示されている。
【００８４】
図１６に示す電気手術装置６１は、ハンドピース２の針部３および把持部１２（通電部８および絶縁部９）の内部に、還流パイプ６２と冷却液を流通する針部還流経路（流路）６３とからなる冷却液還流構造６４を設け、この冷却液還流構造６４をチューブ（図示せず）を介して装置本体のポンプ部（図示せず）に接続されている。その他の構成は前記第１の実施の形態と同様の構成を有しているので、前記第１の実施の形態と同様の部分には同一の番号を付してその詳細な説明を省略するものとする。
【００８５】
通電部８の先端部には、経皮的な刺入を容易にするための尖鋭部１０が設けられ、この尖鋭部１０の先端部には、絶縁体からなる放電抑制部１１が設けられている。
【００８６】
針部３には、高周波出力装置（図示せず）から電線を介して送られる高周波電圧（電流）を絶縁する絶縁部９が設けられ、この絶縁部９により生体組織の意図しない熱的凝固を抑制している。
【００８７】
このような構成により、対象箇所を熱的凝固させるために、比較的長時間高周波電圧（電流）を印加し、通電部８の周辺の温度が上昇して生体組織が乾燥しても、針部３の先端部には、絶縁体からなる放電抑制部１１が設けられているので、通電部８の先端側において、針部３と生体組織との間に電流が流れるのを抑制することができ、針部３と生体組織との間に放電が生じるのを抑制することができる。従って、放電の発生によって熱的凝固の促進が阻害されるのを抑制することができ、よって、充分な治療効果が得られることになる。さらに、還流パイプ６２と針部還流経路６３とからなる冷却液還流構造６４を介して、冷却液を還流することにより、加熱乾燥した生体組織を冷却する効果が得られるので、さらに効果的に治療的処置を施すことができる。
【００８８】
以上、本発明の電気手術装置を図示の実施形態について説明したが、本発明は、これに限定されるものではなく、電気手術装置を構成する各部は、同様の機能を発揮し得る任意の構成のものと置換することができる。また、任意の構成物が付加されていてもよい。
【００８９】
また、本発明の電気手術装置は、前記各実施形態のうちの、任意の２以上の構成（特徴）を組み合わせたものであってもよい。
【図面の簡単な説明】
【００９０】
【図１】本発明による電気手術装置の第１実施形態の平面図である。
【図２】図１のＡ−Ａ線断面図である。
【図３】図１のＢ−Ｂ線断面図である。
【図４】本発明による電気手術装置の第２実施形態の平面図である。
【図５】図４のＣ−Ｃ線断面図である。
【図６】本発明による電気手術装置の第３実施形態の平面図である。
【図７】図６のＤ−Ｄ線断面図である。
【図８】本発明による電気手術装置の第４実施形態の平面図である。
【図９】図８のＥ−Ｅ線断面図である。
【図１０】本発明による電気手術装置の第５実施形態の平面図である。
【図１１】図１０のＦ−Ｆ線断面図である。
【図１２】本発明による電気手術装置の第６実施形態の断面図である。
【図１３】本発明による電気手術装置の第７実施形態の平面図である。
【図１４】図１３のＧ部の断面図である。
【図１５】図１３の部分拡大断面図である。
【図１６】本発明による電気手術装置の第８実施形態の平面図である。
【図１７】従来の電気手術装置の一例の平面図である。
【図１８】従来の電気手術装置の一例の平面図である。
【図１９】従来の電気手術装置の一例の平面図である。
【符号の説明】
【００９１】
１            電気手術装置
２            ハンドピース
３            針部
４            電極
５            小径部
６            大径部
７            絶縁体
８            通電部
９            絶縁部
１０          尖鋭部
１１          放電抑制部
１２          把持部
１３          芯部
１４          絶縁層
１５          貫通孔
１６          温度センサ
１７          リード線
１８          溝
１９          絶縁帯
２０          流路
２１          吐出口
２２          電気手術装置
２３          ハンドピース
２４          針部
２５          外針
２６          芯材
２７          絶縁体
２８          絶縁部
２９          内針
３０          電極
３１          尖鋭部
３２          通電部
３３          放電抑制部
３５          把持部
４１          電気手術装置
４２          ハンドピース
４３          針部
４４          電極
４５          絶縁体
４６          通電部
４７          絶縁部
４８          尖鋭部
４９          把持部
５０          流路
５１          吐出口
５２          還流パイプ
５３          針部還流経路
５４          冷却液還流構造
５５          尖鋭部
６１          電気手術装置
６２          還流パイプ
６３          針部還流経路
６４          冷却液還流構造
【図１】
2005205002.tif 000003
【図２】
2005205002.tif 000004
【図３】
2005205002.tif 000005
【図４】
2005205002.tif 000006
【図５】
2005205002.tif 000007
【図６】
2005205002.tif 000008
【図７】
2005205002.tif 000009
【図８】
2005205002.tif 000010
【図９】
2005205002.tif 000011
【図１０】
2005205002.tif 000012
【図１１】
2005205002.tif 000013
【図１２】
2005205002.tif 000014
【図１３】
2005205002.tif 000015
【図１４】
2005205002.tif 000016
【図１５】
2005205002.tif 000017
【図１６】
2005205002.tif 000018
【図１７】
2005205002.tif 000019
【図１８】
2005205002.tif 000020
【図１９】
2005205002.tif 000021